(57)【特許請求の範囲】
【請求項１】
ディジットディスプレイであって、
２８個の文字セグメントを有する少なくとも１つの表示ユニットを備え、
前記２８個の文字セグメントは、
前記２８個の文字セグメントのうち８個により形成され、うち２つの文字セグメントが四辺形の４つの辺それぞれに存在するような前記四辺形と、
前記２８個の文字セグメントのうち４つにより形成され、前記四辺形を４つの象限に分割する十字と、
それぞれが前記４つの象限のそれぞれに配置され、前記２８個の文字セグメントの各４つにより形成される４つのＸ形状の配置と
を含むように配置され、
前記２８個の文字セグメントのそれぞれは、互いに異なる複数のグループに分類され、
前記少なくとも１つの表示ユニットは、
前記複数のグループに一対一に対応する形態で設けられ、前記２８個の文字セグメントをオンオフするための複数の導電ピンと、
基板と、
輪郭が前記文字セグメントを形成し前記基板の一部を露呈する複数の窪みを含む、前記基板の上に配置された反射キャップ層と、
各々が前記反射キャップ層の前記複数の窪みの各々に設けられて、前記基板に電気的に連結された複数の発光コンポーネントと、
透明材料からなり、各々が前記反射キャップ層の前記複数の窪みの各々に設けられて、前記複数の発光コンポーネントの各々を封止する複数の封止材と
を有し、
前記複数の窪みの各々の断面形状は、前記複数の発光コンポーネントが設けられた下底の幅よりも上底の幅が広い台形形状または漏斗形状である
ディジットディスプレイ。
【請求項２】
前記四辺形は、正方形、矩形、長方形、台形、菱形、偏菱形、または４つの不等辺を有する多角形である請求項１に記載のディジットディスプレイ。
【請求項３】
前記基板は、プリント回路基板（ＰＣＢ）、セラミック製基板、または金属リードフレームを含む請求項１または２に記載のディジットディスプレイ。
【請求項４】
前記複数の発光コンポーネントは、発光ダイオードチップを含む請求項１から３のいずれか1項に記載のディジットディスプレイ。
【請求項５】
前記反射キャップ層の前記複数の窪みの少なくとも１つには、内部に前記発光ダイオードチップの１以上が設けられている請求項４に記載のディジットディスプレイ。
【請求項６】
前記複数の封止材の材料はエポキシまたはシリコーンを含む請求項１から５の何れか１項に記載のディジットディスプレイ。
【請求項７】
前記反射キャップ層の材料はＰＰＯまたはＰＰＡを含む請求項１から６の何れか１項に記載のディジットディスプレイ。
【請求項８】
前記基板は、前記複数の導電ピンを受けるための複数の貫通孔を有する請求項１から７の何れか１項に記載のディジットディスプレイ。
【発明の詳細な説明】
【技術分野】
【０００１】
本願は、２０１０年１０月２２日提出の台湾出願番号０９９１３６１４０号の優先権の恩恵を請求しており、その全体をここに参照として組み込む。
【背景技術】
【０００２】
本開示は、１つの表示ユニットである、複数の文字セグメントを有するディジットディスプレイに関する。より詳しくは、本開示は、少なくとも０−９ディジットおよびアルファベットのＡ−Ｚまでを表示可能な２８文字セグメントを有する表示ユニットを有するディジットディスプレイに関する。
【０００３】
通常、ディジットディスプレイは、表示ユニットを構成する文字セグメントの発光コンポーネントをＯＮ／ＯＦＦすることによって、アラビア数字（本明細書では「数字」および「ディジット」としても表される）、英語のアルファベット（本明細書では「アルファベット」としても称される）、またはシンボル（数字、ディジット、アルファベットおよびシンボルは、本明細書では、あわせて「文字」と称される）を表示する。
【０００４】
今日に至るまで、表示される文字は主に大文字のアルファベットおよびディジットであることが多かった。図１Ａは、ドットアレイを有する従来のドットアレイディスプレイ１００を示す。図１Ｂは、アルファベットの表示に特化したディジットディスプレイ２００を示す。
【０００５】
図１Ａのドットアレイディスプレイ１００は、３５個の発光ドット１０１を有する。発光ドットの操作を周辺回路によるＯＮ／ＯＦＦで制御することにより、観察者は、表示されているアルファベットまたはディジットを見ることができるようになる。しかし、制御すべき発光ドットの数が増えるにつれて、周辺回路が複雑なものとなり、コストが高くなる傾向にある。図１Ｂのディジットディスプレイ２００は、１つの表示ユニットに１２個の文字セグメント２０１を有する。アルファベットを表示することができるとは言っても、表示されたものが、一定のアルファベット（例えば「Ｂ」「Ｄ」「Ｇ」「Ｏ」等）なのか、他のアルファベットなのかを区別することは難しい。加えて、ディジットディスプレイ２００では数字を表示できないという問題もある。
【０００６】
図２は、市場でよく見られるディジットディスプレイの一種である、７つの文字セグメントを有するディジットディスプレイ３００を示す。この図のディジットディスプレイ３００は、以下の表１に示すように、数字と、２６個の英語のアルファベットとを表示することができる７つの文字セグメント３０１を有する。
【表１】
0005472937.tif 000002
【０００７】
しかし表１からも分かるように、アルファベットのなかには、区別が難しいものもあり（例えば、「Ｋ」「Ｍ」「Ｎ」「Ｑ」「Ｒ」「Ｔ」「Ｕ」「Ｖ」「Ｗ」「Ｘ」「Ｚ」）、さらには、言うに及ばず、類似した数字との区別がつかず紛らわしいケースもある。例えば、アルファベット「Ｂ」と数字「６」の表示が類似していて紛らわしい。同様に、アルファベット「Ｏ」と数字「０」の表示、アルファベット「Ｑ」と数字「９」の表示、アルファベット「Ｓ」と数字「５」の表示、および、アルファベット「Ｚ」と数字「２」の表示等も、それぞれ類似していて紛らわしい。
【発明の概要】
【発明が解決しようとする課題】
【０００８】
本開示は、従来の技術が有する上述した問題を、アルファベット、シンボル、および数字（アラビア数字および漢数字を含む）を明瞭にしかも区別可能に表示することのできるディジットディスプレイを提供することにより解決しようとするものである。本開示のディジットディスプレイは、既存のディジットディスプレイ用の回路を利用することができるので、コストを増加させないだけでなく、装置の集積性および回路の簡略化も達成される。
【課題を解決するための手段】
【０００９】
一態様として、ディジットディスプレイは、少なくとも１つの表示ユニットを備える。少なくとも１つの表示ユニットは、２８個の文字セグメントを有し、２８個の文字セグメントは、２８個の文字セグメントのうち８個により形成され、うち２つの文字セグメントが四辺形の４つの辺それぞれに存在するような四辺形と、２８個の文字セグメントのうち４つにより形成され、四辺形を４つの象限に分割する十字と、それぞれが４つの象限のそれぞれに配置され、２８個の文字セグメントの各４つにより形成される４つのＸ形状の配置とを含むように配置される。
【００１０】
一実施形態では、四辺形は、正方形、矩形、長方形、台形、菱形、偏菱形、または４つの不等辺を有する多角形であってよい。
【００１１】
一実施形態では、少なくとも１つの表示ユニットはさらに、基板と、輪郭が文字セグメントを形成し基板の一部を露呈する複数の窪みを含む、基板の上に配置された反射キャップ層と、各々が反射キャップ層の複数の窪みの各々に設けられて、基板に電気的に連結された複数の発光コンポーネントと、透明材料からなり、各々が反射キャップ層の複数の窪みの各々に設けられて、複数の発光コンポーネントの各々を封止する複数の封止材とを有してよい。
【００１２】
一実施形態では、基板は、プリント回路基板（ＰＣＢ）、セラミック製基板、または金属リードフレームを含んでよい。
【００１３】
一実施形態では、複数の発光コンポーネントは、発光ダイオード（ＬＥＤ）チップを含んでよい。
【００１４】
一実施形態では、反射キャップ層の複数の窪みの少なくとも１つには、内部にＬＥＤチップの１以上が設けられていてよい。
【００１５】
一実施形態では、複数の窪みの各々の断面形状は、台形形状または漏斗形状であってよい。
【００１６】
一実施形態では、複数の封止材の材料はエポキシまたはシリコーンを含んでよい。
【００１７】
一実施形態では、反射キャップ層の材料はＰＰＯまたはＰＰＡを含んでよい。
【００１８】
一実施形態では、基板は、複数の導電ピンを受けるための複数の貫通孔を有してよい。
【００１９】
別の態様として、選択的にＯＮまたはＯＦＦとされることで英語のアルファベット、アラビア数字、または漢数字を表示するよう配置された２８個の文字セグメントを有する少なくとも１つの表示ユニットを備えるディジットディスプレイが開示される。
【００２０】
一実施形態では、２８個の文字セグメントは、２８個の文字セグメントのうち８個により形成され、うち２つの文字セグメントが四辺形の４つの辺それぞれに存在するような四辺形と、２８個の文字セグメントのうち４つにより形成され、四辺形を４つの象限に分割する十字と、それぞれが４つの象限のそれぞれに配置され、２８個の文字セグメントの各４つにより形成される４つのＸ形状の配置とを含むように配置されてよい。
【００２１】
一実施形態では、四辺形は、正方形、矩形、長方形、台形、菱形、偏菱形、または４つの不等辺を有する多角形であってよい。
【００２２】
一実施形態では、少なくとも１つの表示ユニットはさらに、基板と、輪郭が文字セグメントを形成し基板の一部を露呈する複数の窪みを含む、基板の上に配置された反射キャップ層と、各々が反射キャップ層の複数の窪みの各々に設けられて、基板に電気的に連結された複数の発光コンポーネントと、透明材料からなり、各々が反射キャップ層の複数の窪みの各々に設けられて、複数の発光コンポーネントの各々を封止する複数の封止材とを有してよい。
【００２３】
一実施形態では、基板は、プリント回路基板（ＰＣＢ）、セラミック製基板、または金属リードフレームを含んでよい。
【００２４】
一実施形態では、複数の発光コンポーネントは、発光ダイオード（ＬＥＤ）チップを含み、反射キャップ層の複数の窪みの少なくとも１つには、内部にＬＥＤチップの１以上が設けられていてよい。
【００２５】
一実施形態では、複数の窪みのうち少なくとも１つの断面形状は、台形形状または漏斗形状であってよい。
【００２６】
一実施形態では、複数の封止材の材料はエポキシまたはシリコーンを含んでよい。
【００２７】
一実施形態では、反射キャップ層の材料はＰＰＯまたはＰＰＡを含んでよい。
【００２８】
一実施形態では、基板は、複数の導電ピンを受けるための複数の貫通孔を有してよい。
【００２９】
このように、本開示の実施形態におけるディジットディスプレイは、小文字または大文字のアルファベットが明瞭に表示されない、アルファベットとアラビア数字が類似していて紛らわしい、等の問題を解決することができる。開示するディジットディスプレイは、アルファベット、シンボル、および数字（漢数字も含めて）を明瞭に且つ区別可能に表示することができる。
【００３０】
上述した目的およびその他の目的を達成するための本開示の特徴および利点の詳述するために、以下に図面を参照しながら幾つかの実施形態を示す。
【００３１】
添付図面は、本開示を説明し、本明細書の一部を構成するべく含められている。図面は、開示される実施形態を示しており、記載とあわせて、本開示の原理を説明する役割を果たす。
【図面の簡単な説明】
【００３２】
【図１Ａ】従来の発光表示デバイスの平面図である。
【００３３】
【図１Ｂ】別の従来の発光表示デバイスの平面図である。
【００３４】
【図２】また別の従来の発光表示デバイスの平面図である。
【００３５】
【図３】本開示の一実施形態のディジットディスプレイの表示ユニットの平面図である。
【００３６】
【図４】本開示の一実施形態のディジットディスプレイの三次元図である。
【００３７】
【図５】図４のＶ−Ｖ線におけるディジットディスプレイの断面図である。
【００３８】
【図６】本開示の一実施形態のディジットディスプレイの表示ユニットによるアルファベットの表示を示す。
【００３９】
【図７】本開示の一実施形態のディジットディスプレイの表示ユニットによるアラビア数字０から９の表示を示す。
【００４０】
【図８】本開示の一実施形態のディジットディスプレイの表示ユニットによる、漢数字の一から十の表示を示す。
【００４１】
【図９Ａ】本開示の一実施形態のディジットディスプレイの表示ユニットによるアルファベットと数字とを比較する。
【図９Ｂ】本開示の一実施形態のディジットディスプレイの表示ユニットによるアルファベットと数字とを比較する。
【図９Ｃ】本開示の一実施形態のディジットディスプレイの表示ユニットによるアルファベットと数字とを比較する。
【００４２】
【図１０】本開示の一実施形態の別のディジットディスプレイの三次元図である。
【００４３】
【図１１Ａ】本開示の一実施形態におけるディジットディスプレイの操作を示す。
【図１１Ｂ】本開示の一実施形態におけるディジットディスプレイの操作を示す。
【００４４】
【図１２Ａ】本開示の一実施形態のディジットディスプレイの表示ユニットの文字セクションそれぞれに対するラベル付けを示す。
【００４５】
【図１２Ｂ】本開示の一実施形態のディジットディスプレイを作動させる技術の概略図である。
【発明を実施するための形態】
【００４６】
以下の記載は、本開示のディジットディスプレイの様々な実施形態に関している。しかしながらこれら実施形態はあくまで例示を目的としたものであり、本開示の範囲を限定するものとして捕らえられるべきではない。
【００４７】
図３は、本開示の一実施形態のディジットディスプレイの表示ユニット１の平面図である。一実施形態では、各表示ユニット１は、２８個の文字セグメント１１を有しており、ディジットディスプレイは、表示ユニットを１以上含むことができる。実際のディジットディスプレイにおける表示ユニットの数は、用途に応じて調節可能である。図４は、表示ユニットを有するディジットディスプレイ１０を示す。図１０に示す複数の表示ユニットを有するディジットディスプレイ２０を一例として、ユーザは、様々な用途にあわせて、このようなディジットディスプレイを様々に組み合わせることができる。
【００４８】
図４の表示ユニットは２８個の文字セグメントを有する。２８個の文字セグメントは、２つの文字セグメントが４つの辺それぞれに形成された四辺形と、４つの文字セグメントにより形成され、四辺形を４つの象限に分割する十字とを含む。４つのＸ各々が、４つの象限のそれぞれに含まれており、４つの文字セグメントにより形成されている。様々な実施形態では、四辺形は、正方形、矩形、長方形、台形、菱形、偏菱形、または４つの不等辺を有する多角形であってよい。
【００４９】
一実施形態では、表示ユニットには方向性がないので、垂直方向にも水平方向にも配置することができる。図１１Ａのディジットディスプレイ２０は水平方向に配置されている。図１１Ｂのディジットディスプレイ２０は垂直方向に配置されている。
【００５０】
図４および図５は、本開示のディジットディスプレイの基本構造を示す。特に図４は、本開示の一実施形態のディジットディスプレイの三次元図であり、図５は、図４のＶ−Ｖ線におけるディジットディスプレイの断面図である。
【００５１】
図４および図５を参照すると、ディジットディスプレイ１０は、基板２、基板２の片面に設けられた発光コンポーネント４、１以上の窪み１１ａを含む反射キャップ層１３、よび、封止材１２を含む。発光コンポーネント４が表面実装デバイスである場合、発光コンポーネント４は、基板２に直接固着または取着されている。発光コンポーネント４が発光ダイオード（ＬＥＤ）である場合、ワイヤボンド技術を利用して発光コンポーネント４を基板２の電極に電気的に連結させる。様々な実施形態では、基板２はプリント回路基板（ＰＣＢ）、セラミック製基板、または金属リードフレームであってよい。様々な実施形態では、封止材１２はエポキシまたはシリコーンであってよい。
【００５２】
基板２には、文字セグメントをＯＮ／ＯＦＦさせるピン３を、直接固着または取着する。発光コンポーネント４が固着された基板２を、発光コンポーネント４が窪み１１ａに入るように、任意の適切な方法で反射キャップ層１３と連結させる。ピン３は、図４に示すような針状の形状ではなくてもよく、湾曲していたり、球形であったり、個々の電極のような形状であったりしてもよい。
【００５３】
その後で、透明封止材１２を反射キャップ層１３の窪み１１ａに充填する。反射キャップ層１３は、半透明材料からなり、基板２に対して、発光コンポーネント４を囲うように、または覆い隠すように設けられる。反射キャップ層１３が複数の窪み１１ａを有する場合には、観察者側から見た場合に、複数の窪み１１ａの輪郭が、表示ユニット１の文字セグメント１１を形成するようにする。照明を効率的に行うべく、窪み１１ａの断面形状は、図５に示すような台形形状または漏斗形状としている。一実施形態では、発光コンポーネント４がＬＥＤチップであってよい。発光色を調節するために、各窪み１１ａには１以上の発光コンポーネント４を設けてよい。一実施形態では、発光コンポーネント４が青色ＬＥＤチップを含む場合には、透明封止材１２に黄色の蛍光体を添加することで、青色光により黄色の蛍光体を励起して白色光が放出されるようにする。別の実施形態では、発光コンポーネント４が３つのＲＧＢ（赤色、緑色、青色）のＬＥＤチップを含む場合に、これらの発光を混ぜ合わせることにより、白色光あるいはその他の色の光を発光させるようにする。この場合には、透明封止材１２に黄色の蛍光体を添加する必要はない。
【００５４】
基板２と反射キャップ層１３とを連結して封止材１２を充填した後で、焼結処理を行って封止材１２を凝固させる。発光コンポーネント４を封止するのに利用される封止材１２は、エポキシまたはシリコーン等の適切な透明材料を含む。様々な実施形態では、反射キャップ層１３の材料はＰＰＯまたはＰＰＡであってよい。
【００５５】
一実施形態では、基板２はＰＣＢまたはセラミック製基板であってよく、制御のための電気信号を送受信するためにはピン３が必要となる。または、基板２は金属リードフレームであってよい。チップをリードフレームに取り付ける場合には、制御のための電気信号をリードフレームに通すので、ピン３を設ける必要はない。
【００５６】
図６は、本開示の一実施形態のディジットディスプレイの表示ユニットによるアルファベットの表示を示す。図７は、本開示の一実施形態のディジットディスプレイの表示ユニットによるアラビア数字０から９の表示を示す。図８は、本開示の一実施形態のディジットディスプレイの表示ユニットによる、漢数字の一から十の表示を示す。
【００５７】
これらの図面から分かるように、本開示の一部の実施形態のディジットディスプレイの各表示ユニットは、表示されているものがアルファベット、アラビア数字、または漢数字のいずれであるかに応じて、実際に照明される表示ユニットのそれぞれの部分を柔軟に調節することができる。例えば、アルファベットまたは漢数字を表示する場合には、表示ユニットの発光部全体を利用して文字を表示して、アラビア数字を表示する場合には、表示ユニットの発光部の半分を利用して文字を表示する。こうすることで、従来の技術に見られる、アルファベットとアラビア数字とが類似して見えて紛らわしいという問題が解消される。さらに、本開示の一部の実施形態のディジットディスプレイの各表示ユニットは、文字を表示するために様々な組み合わせで照明するよう制御することができる２８個の文字セグメントを含む。これにより、従来の技術の表示するアルファベットに美的に魅了がないという欠点を解決することができるだけではなく、例えば図８に示すような漢数字または図１１Ａおよび図１１Ｂの示すような矢印シンボル等の、より多くのシンボルまたは文字を表示することもできるようになる。図９Ａは、本開示の実施形態における表示のアルファベット「Ｂ」と数字「８」とを比較する。各表示ユニットに２８個の文字セグメントを設けることによって、アルファベット「Ｂ」の表示とアラビア数字「８」の表示を明瞭に区別できるようになるだけではなく、表示されるアルファベットが美しくなる効果も奏される。図９Ｂは、本開示の一実施形態における表示のアルファベット「Ｏ」とアラビア数字「０」とを比較する。アルファベットまたは漢数字の表示には表示ユニットの発光部全体を利用して、アラビア数字の表示には表示ユニットの発光部の半分を利用することにより、ユーザは、従来のディジットディスプレイによる表示では見分けが難しかった、アルファベット「Ｏ」とアラビア数字「０」とを容易に区別することができるようになる。図９Ｃは、本開示の実施形態における表示のアルファベット「Ｓ」と数字「５」とを比較する。上述した原理から、ユーザは、従来のディジットディスプレイによる表示では見分けが難しかった、アルファベット「Ｓ」とアラビア数字「５」とを容易に区別することができるようになる。
【００５８】
以下に、本開示の実施形態におけるディジットディスプレイの作動メカニズムを図１２Ａおよび図１２Ｂを参照しながら説明する。図１２Ａは、本開示の一実施形態のディジットディスプレイの表示ユニットの文字セクションそれぞれに対するラベル付けを示す。図１２Ｂは、本開示の一実施形態のディジットディスプレイを作動させる技術の概略図である。
【００５９】
図１２Ｂに示す作動法では、複数のピン（１１個のピン等）を利用して、導電して、伝達された電気信号を制御する。ピンの形状および形態については、針状ではなくてもよく、球形であったり、個々の電極のような形状であったりしてもよい。図１２Ａおよび図１２Ｂに示すシーケンス番号は、説明をし易く目的から示されており、位置または数字シーケンスを示されているものに限定する意図はない。
【００６０】
図１２Ａでは、本開示の実施形態のディジットディスプレイの表示ユニットの２８個の文字セグメントは、Ａ１、Ａ２、Ｂ、Ｃ、Ｄ１、Ｄ２、Ｅ、Ｆ、Ｇ１、Ｇ２、Ｈ１、Ｈ２、Ｉ、Ｊ１、Ｊ２、Ｋ１、Ｋ２、Ｌ、Ｍ１、Ｍ２、Ｎ１、Ｎ２、Ｏ１、Ｏ２、Ｐ１、Ｐ２、Ｑ１、およびＱ２とラベル付けされている。
【００６１】
図１２Ｂでは、文字セグメントＡ１、Ａ２、Ｂ、Ｃ、Ｄ１、Ｄ２が、ピン８により制御されるグループに分類されており、文字セグメントＦ、Ｇ１、Ｇ２、Ｈ１、Ｈ２、Ｉ、Ｊ１が、ピン９により制御されるグループに分類されており、文字セグメントＪ２、Ｋ１、Ｋ２、Ｌ、Ｍ１、Ｍ２、Ｎ１がピン１０により制御されるグループに分類されており、文字セグメントＮ２、Ｏ１、Ｏ２、Ｐ１、Ｐ２、Ｑ１、およびＱ２がピン１１により制御されるグループに分類されている。図１２Ｂに示す参照番号１から７は、ピン１からピン７を示す。これら１１個のピンを流れる電気信号を制御することにより、本開示の実施形態のディジットディスプレイを制御および作動することができる。図１２Ｂに示す作動に関連しないピンおよびその説明は、説明を簡潔にするために割愛する。
【００６２】
例えば、図１２Ａに示すＦ、Ｅ、Ｄ１およびＤ２という４つの文字セグメントは、本記載の実施形態のディジットディスプレイの表示ユニットでアルファベット「Ｌ」を表示するときに作動される。
【００６３】
図１２Ｂを参照して以下に作動処理を示す。
【００６４】
（ａ）ピン９の電気極性が負から正に変わり、ピン１の電気極性が正から負に変わる。これにより電流を流して文字セグメントＦを発光させることができる。
【００６５】
（ｂ）ピン８の電気極性が負から正に変わり、ピン７の電気極性が正から負に変わる。これにより電流を流して文字セグメントＥを発光させることができる。
【００６６】
（ｃ）ピン８の電気極性が負から正に変わり、ピン５の電気極性が正から負に変わる。これにより電流を流して文字セグメントＤ１を発光させることができる。
【００６７】
（ｄ）ピン８の電気極性が負から正に変わり、ピン６の電気極性が正から負に変わる。これにより電流を流して文字セグメントＤ２を発光させることができる。
【００６８】
人間の目の残像原理から、本開示の実施形態のディジットディスプレイの表示ユニットでは、アルファベット「Ｌ」は、上述した処理（ａ）から（ｄ）を比較的短期間に繰り返し実行することにより、表示しているように見せることができる。
【００６９】
上述した作動処理は例示であって、４つの文字セグメントの作動シーケンスも一例にすぎない。ディジットディスプレイの表示ユニットを残像原理に基づいて作動させることから、関連する文字セグメントが発光するシーケンスを変更することもできる。
【００７０】
当業者には、本開示の範囲および精神から逸脱することなく本開示の構造の様々な変更例および変形例が明らかである。前述の記載に鑑みて、本開示は、以下の請求項およびその均等物の範囲内の本開示の変更例および変形例を含むことを意図している。
【図１Ａ】
0005472937.tif 000003
【図１Ｂ】
0005472937.tif 000004
【図２】
0005472937.tif 000005
【図３】
0005472937.tif 000006
【図４】
0005472937.tif 000007
【図５】
0005472937.tif 000008
【図６】
0005472937.tif 000009
【図７】
0005472937.tif 000010
【図８】
0005472937.tif 000011
【図９Ａ】
0005472937.tif 000012
【図９Ｂ】
0005472937.tif 000013
【図９Ｃ】
0005472937.tif 000014
【図１０】
0005472937.tif 000015
【図１１Ａ】
0005472937.tif 000016
【図１１Ｂ】
0005472937.tif 000017
【図１２Ａ】
0005472937.tif 000018
【図１２Ｂ】
0005472937.tif 000019